【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
カプセルの本体部分を生産する方法であって、
前記本体部分をポリマー材料から形成するステップと、
その後、前記本体部分の１つ以上の穿刺ゾーンを処理することにより、前記１つ以上の穿刺ゾーンの前記ポリマー材料の１つ以上の材料特性を前記本体部分の残りの部分の前記ポリマー材料の前記材料特性に対して変化させるステップと
を含む、方法。
【請求項２】
前記１つ以上の穿刺ゾーンを処理することは、前記１つ以上の穿刺ゾーンを放射エネルギーにさらすことを含み、
前記１つ以上の穿刺ゾーンを処理することは、前記１つ以上の穿刺ゾーンを電磁放射にさらすことを含み、
前記電磁放射は、赤外線放射、可視光放射、紫外線放射、軟Ｘ線放射、Ｘ線放射、ガンマ線放射、および電子ビーム放射のうちの１つ以上のものである、請求項１に記載の方法。
【請求項３】
前記１つ以上の穿刺ゾーンを処理することは、前記ポリマー材料を劣化させること、炭化させること、発泡化させること、エージングさせること、または脆化させることのうちの１つ以上のものを含む、請求項１〜２のいずれかに記載の方法。
【請求項４】
前記本体部分は、前記ポリマー材料から成形される、請求項１〜３のいずれかに記載の方法。
【請求項５】
前記本体部分は、ポリプロピレンおよび／またはポリエチレンを含む材料から形成される、請求項１〜４のいずれかに記載の方法。
【請求項６】
前記ポリマー材料は、放射エネルギーによる前記１つ以上の穿刺ゾーンの処理を促進するように意図されている添加剤を含む、請求項１〜５のいずれかに記載の方法。
【請求項７】
前記添加剤は、カーボンブラック、黒鉛、およびドープ二酸化スズから成る群から選択される１つ以上の化合物である、請求項６に記載の方法。
【請求項８】
前記二酸化スズは、アンチモン、フッ素、塩素、タングステン、モリブデン、鉄、またはリンのうちの１つ以上のものでドープされる、請求項７に記載の方法。
【請求項９】
前記本体部分は、入口壁を備え、前記１つ以上の穿刺ゾーンは、前記入口壁上に位置している、請求項１〜８のいずれかに記載の方法。
【請求項１０】
前記１つ以上の穿刺ゾーンは、環状ゾーンを備えている、請求項１〜９のいずれかに記載の方法。
【請求項１１】
前記本体部分の残りの部分の前記ポリマー材料をマスキングし、処理中の前記本体部分の前記残りの部分の変化を防止することをさらに含む、請求項１〜１０のいずれかに記載の方法。
【請求項１２】
請求項１から１１のいずれかに記載の方法によって取得可能なカプセルの本体部分。
【請求項１３】
飲料調製機械とともに使用される場合の飲料の調製のためのカプセルであって、前記カプセルは、本体部分および蓋を備え、前記本体部分および蓋は、飲料原料を含むための前記カプセルの内部を一緒に画定し、
前記本体部分は、１つ以上の穿刺ゾーンを備え、前記１つ以上の穿刺ゾーンは、使用時、前記飲料調製機械の１つ以上の穿刺具によって穿刺され、それによって、圧力下の水を前記カプセルの前記内部の中に給送するための１つ以上の入口開口を提供するように意図されており、
前記本体部分は、ポリマー材料から形成されており、
前記１つ以上の穿刺ゾーンの前記ポリマー材料は、変質させられた構造を備え、前記変質させられた構造は、前記本体部分の形成後、前記１つ以上の穿刺ゾーンの前記ポリマー材料の１つ以上の材料特性を前記本体部分の残りの部分の前記ポリマー材料の前記材料特性に対して変化させるように処理されている、カプセル。
【請求項１４】
前記変質させられた構造は、劣化、炭化、発泡化、エージング、または脆化させられた構造のうちの１つ以上のものを備えている、請求項１３に記載のカプセル。
【請求項１５】
前記本体部分は、前記ポリマー材料から成形されている、請求項１３〜１４のいずれかに記載のカプセル。
【請求項１６】
前記本体部分は、ポリプロピレンおよび／またはポリエチレンを含む材料から形成されている、請求項１３〜１５のいずれかに記載のカプセル。
【請求項１７】
前記ポリマー材料は、放射エネルギーによる前記１つ以上の穿刺ゾーンの処理を促進するように意図されている添加剤を含む、請求項１３〜１６のいずれかに記載のカプセル。
【請求項１８】
前記添加剤は、カーボンブラック、黒鉛、およびドープ二酸化スズから成る群から選択される１つ以上の化合物である、請求項１７に記載のカプセル。
【請求項１９】
前記二酸化スズは、アンチモン、フッ素、塩素、タングステン、モリブデン、鉄、またはリンのうちの１つ以上のものでドープされている、請求項１８に記載のカプセル。
【請求項２０】
前記本体部分は、入口壁を備え、前記１つ以上の穿刺ゾーンは、前記入口壁上に位置している、請求項１３〜１９のいずれかに記載のカプセル。
【請求項２１】
前記１つ以上の穿刺ゾーンは、環状ゾーンを備えている、請求項１３〜２０のいずれかに記載のカプセル。
【請求項２２】
前記カプセルは、飲料カプセルである、請求項１〜１１のいずれかに記載の方法または請求項１２〜２０のいずれかに記載のカプセル。
【手続補正２】
【補正対象書類名】明細書
【補正対象項目名】００４５
【補正方法】変更
【補正の内容】
【００４５】
本体部分の１つ以上の穿刺ゾーンは、密閉部材より低い靱性を有する。
本発明は、例えば、以下を提供する。
（項目１）
カプセルの本体部分を生産する方法であって、
前記本体部分をポリマー材料から形成するステップと、
その後、前記本体部分の１つ以上の穿刺ゾーンを処理することにより、前記１つ以上の穿刺ゾーンの前記ポリマー材料の１つ以上の材料特性を前記本体部分の残りの部分の前記ポリマー材料の前記材料特性に対して変化させるステップと
を含む、方法。
（項目２）
前記１つ以上の穿刺ゾーンを処理することは、前記１つ以上の穿刺ゾーンを放射エネルギーにさらすことを含む、項目１に記載の方法。
（項目３）
前記１つ以上の穿刺ゾーンを処理することは、前記１つ以上の穿刺ゾーンを電磁放射にさらすことを含む、項目２に記載の方法。
（項目４）
前記電磁放射は、赤外線放射、可視光放射、紫外線放射、軟Ｘ線放射、Ｘ線放射、ガンマ線放射、および電子ビーム放射のうちの１つ以上のものである、項目３に記載の方法。
（項目５）
前記１つ以上の穿刺ゾーンを処理することは、前記ポリマー材料を劣化させること、炭化させること、発泡化させること、エージングさせること、または脆化させることのうちの１つ以上のものを含む、項目１〜４のいずれかに記載の方法。
（項目６）
前記放射エネルギーは、集束ビームの形態で前記１つ以上の穿刺ゾーンに印加される、項目１〜５のいずれかに記載の方法。
（項目７）
前記１つ以上の穿刺ゾーンのレーザ処理を含む、項目１〜６のいずれかに記載の方法。
（項目８）
前記本体部分は、前記ポリマー材料から成形される、項目１〜７のいずれかに記載の方法。
（項目９）
前記本体部分は、一体型成形体として形成される、項目１〜８のいずれかに記載の方法。
（項目１０）
前記本体部分は、単一材料から成形される、項目１〜９のいずれかに記載の方法。
（項目１１）
前記本体部分は、射出成形される、項目１〜１０のいずれかに記載の方法。
（項目１２）
前記本体部分は、ポリオレフィンを含む材料から形成される、項目１〜１１のいずれかに記載の方法。
（項目１３）
前記本体部分は、熱可塑性ポリオレフィンを含む材料から形成される、項目１〜１２のいずれかに記載の方法。
（項目１４）
前記本体部分は、ポリプロピレンおよび／またはポリエチレンを含む材料から形成される、項目１〜１３のいずれかに記載の方法。
（項目１５）
前記ポリマー材料は、放射エネルギーによる前記１つ以上の穿刺ゾーンの処理を促進するように意図されている添加剤を含む、項目１〜１４のいずれかに記載の方法。
（項目１６）
前記添加剤は、カーボンブラック、黒鉛、およびドープ二酸化スズから成る群から選択される１つ以上の化合物である、項目１５に記載の方法。
（項目１７）
前記二酸化スズは、アンチモン、フッ素、塩素、タングステン、モリブデン、鉄、またはリンのうちの１つ以上のものでドープされる、項目１６に記載の方法。
（項目１８）
前記本体部分は、カップ形状に成形される、項目１〜１７のいずれかに記載の方法。
（項目１９）
前記本体部分は、入口壁を備え、前記１つ以上の穿刺ゾーンは、前記入口壁上に位置している、項目１〜１８のいずれかに記載の方法。
（項目２０）
前記１つ以上の穿刺ゾーンは、環状ゾーンを備えている、項目１〜１９のいずれかに記載の方法。
（項目２１）
前記環状ゾーンは、円周方向に連続的である、項目２０に記載の方法。
（項目２２）
前記環状ゾーンは、円周方向に断続的である、項目２０に記載の方法。
（項目２３）
前記環状ゾーンは、円周方向パターン、好ましくは、繰り返しパターンを備えている、項目２１または項目２２に記載の方法。
（項目２４）
前記１つ以上の穿刺ゾーンは、２つ以上の同心円状に配列された環状ゾーンを備えている、項目１〜２３のいずれかに記載の方法。
（項目２５）
前記１つ以上の穿刺ゾーンは、円形ゾーンを備えている、項目１から１９のいずれかに記載の方法。
（項目２６）
前記本体部分は、０．２０〜０．５０ｍｍの範囲内、好ましくは、０．３０〜０．４０ｍｍの範囲内の前記１つ以上の穿刺ゾーン内の厚さを有する、項目１〜２５のいずれかに記載の方法。
（項目２７）
前記１つ以上の穿刺ゾーンは、前記本体部分の入口壁面積の１０〜９０％の面積を備えている、項目１〜２６のいずれかに記載の方法。
（項目２８）
前記本体部分の残りの部分の前記ポリマー材料をマスキングし、処理中の前記本体部分の前記残りの部分の変化を防止することをさらに含む、項目１〜２７のいずれかに記載の方法。
（項目２９）
前記本体部分は、飲料調製機械の封入部材との密閉係合を形成し、それによって、使用時の水のバイパス流を防止または制限するように構成されている密閉部材をさらに備えている、項目１〜２８のいずれかに記載の方法。
（項目３０）
前記密閉部材は、処理されていない前記本体部分の残りの部分の一部を形成している、項目２９に記載の方法。
（項目３１）
前記本体部分の前記１つ以上の穿刺ゾーンは、前記密閉部材より低い靱性を有する、項目２９から３０のいずれかに記載の方法。
（項目３２）
飲料の調製のためのカプセルを生産する方法であって、
項目１〜３１のいずれかに記載の本体部分を生産するステップと、
飲料原料を前記本体部分の中に挿入するステップと、
前記本体部分を蓋で密閉するステップと
を含む、方法。
（項目３３）
項目１から３１のいずれかに記載の方法によって取得可能なカプセルの本体部分。
（項目３４）
飲料調製機械とともに使用される場合の飲料の調製のためのカプセルであって、前記カプセルは、本体部分および蓋を備え、前記本体部分および蓋は、飲料原料を含むための前記カプセルの内部を一緒に画定し、
前記本体部分は、１つ以上の穿刺ゾーンを備え、前記１つ以上の穿刺ゾーンは、使用時、前記飲料調製機械の１つ以上の穿刺具によって穿刺され、それによって、圧力下の水を前記カプセルの前記内部の中に給送するための１つ以上の入口開口を提供するように意図されており、
前記本体部分は、ポリマー材料から形成されており、
前記１つ以上の穿刺ゾーンの前記ポリマー材料は、変質させられた構造を備え、前記変質させられた構造は、前記本体部分の形成後、前記１つ以上の穿刺ゾーンの前記ポリマー材料の１つ以上の材料特性を前記本体部分の残りの部分の前記ポリマー材料の前記材料特性に対して変化させるように処理されている、カプセル。
（項目３５）
前記変質させられた構造は、劣化、炭化、発泡化、エージング、または脆化させられた構造のうちの１つ以上のものを備えている、項目３４に記載のカプセル。
（項目３６）
前記本体部分は、前記ポリマー材料から成形されている、項目３４〜３５のいずれかに記載のカプセル。
（項目３７）
前記本体部分は、一体型成形体である、項目３４〜３６のいずれかに記載のカプセル。
（項目３８）
前記本体部分は、単一材料から成形されている、項目３４〜３７のいずれかに記載のカプセル。
（項目３９）
前記本体部分は、射出成形されている、項目３４〜３８のいずれかに記載のカプセル。
（項目４０）
前記本体部分は、ポリオレフィンを含む材料から形成されている、項目３４〜３９のいずれかに記載のカプセル。
（項目４１）
前記本体部分は、熱可塑性ポリオレフィンを含む材料から形成されている、項目３４〜４０のいずれかに記載のカプセル。
（項目４２）
前記本体部分は、ポリプロピレンおよび／またはポリエチレンを含む材料から形成されている、項目３４〜４１のいずれかに記載のカプセル。
（項目４３）
前記ポリマー材料は、放射エネルギーによる前記１つ以上の穿刺ゾーンの処理を促進するように意図されている添加剤を含む、項目３４〜４２のいずれかに記載のカプセル。
（項目４４）
前記添加剤は、カーボンブラック、黒鉛、およびドープ二酸化スズから成る群から選択される１つ以上の化合物である、項目４３に記載のカプセル。
（項目４５）
前記二酸化スズは、アンチモン、フッ素、塩素、タングステン、モリブデン、鉄、またはリンのうちの１つ以上のものでドープされている、項目４４に記載のカプセル。
（項目４６）
前記本体部分は、カップ形状である、項目３４〜４５のいずれかに記載のカプセル。
（項目４７）
前記本体部分は、入口壁を備え、前記１つ以上の穿刺ゾーンは、前記入口壁上に位置している、項目３４〜４６のいずれかに記載のカプセル。
（項目４８）
前記１つ以上の穿刺ゾーンは、環状ゾーンを備えている、項目３４〜４７のいずれかに記載のカプセル。
（項目４９）
前記環状ゾーンは、円周方向に連続的である、項目４８に記載のカプセル。
（項目５０）
前記環状ゾーンは、円周方向に断続的である、項目４８に記載のカプセル。
（項目５１）
前記環状ゾーンは、円周方向パターン、好ましくは、繰り返しパターンを備えている、項目４９または項目５０に記載のカプセル。
（項目５２）
前記１つ以上の穿刺ゾーンは、２つ以上の同心円状に配列された環状ゾーンを備えている、項目３４〜５１のいずれかに記載のカプセル。
（項目５３）
前記１つ以上の穿刺ゾーンは、円形ゾーンを備えている、項目３４〜４７のいずれかに記載のカプセル。
（項目５４）
前記本体部分は、飲料調製機械の封入部材との密閉係合を形成し、それによって、使用時の水のバイパス流を防止または制限するように構成されている密閉部材をさらに備えている、項目３４〜５３のいずれかに記載のカプセル。
（項目５５）
前記密閉部材は、処理されていない前記本体部分の残りの部分の一部を形成している、項目５４に記載のカプセル。
（項目５６）
前記本体部分の１つ以上の穿刺ゾーンは、前記密閉部材より低い靱性を有する、項目３４〜５５のいずれかに記載のカプセル。